(57)【特許請求の範囲】
【請求項１】
サーバと電子メール通信端末との間で電子メールを通信する電子メール通信システムにおいて、
前記サーバは、
前記電子メール通信端末の地図上の位置を認識する位置認識手段と、
この位置認識手段が認識した電子メール通信端末の位置に対応する位置対応の電子メールアドレスを前記電子メール通信端末の電子メールアドレスとして認識し、前記位置対応の電子メールアドレスを送信先アドレスとする電子メールを前記電子メール通信端末に配信する電子メール配信手段と、
前記電子メール通信端末から受信した電子メールの送信先アドレスを前記位置対応の電子メールアドレスに変換する電子メールアドレス変換手段とを備えたことを特徴とする電子メール通信システム。
【請求項２】
前記サーバは、
前記位置対応の電子メールアドレスを前記電子メール通信端末に通知する電子メールアドレス通知手段を備えたことを特徴とする請求項１記載の電子メール通信システム。
【請求項３】
サーバと電子メール通信端末との間で電子メールを通信する電子メール通信システムにおいて、
前記電子メール通信端末は、
地図上の位置を入力する位置入力手段と、
この位置入力手段が入力した位置に対応する位置対応の電子メールアドレスを前記サーバに通知する電子メールアドレス通知手段とを備え、
前記サーバは、
前記電子メール通信端末から通知された位置対応の電子メールアドレスを前記電子メール通信端末の電子メールアドレスとして認識し、前記位置対応の電子メールアドレスを送信先アドレスとする電子メールを前記電子メール通信端末に配信する電子メール配信手段を備えたことを特徴とする電子メール通信システム。
【請求項４】
前記サーバは、
前記電子メール通信端末から受信した電子メールの送信先アドレスを前記位置対応の電子メールアドレスに変換する電子メールアドレス変換手段を備えたことを特徴とする請求項３記載の電子メール通信システム。
【請求項５】
前記電子メール通信端末は、
前記位置対応の電子メールアドレスを送信先アドレスとして電子メールを前記サーバに送信する電子メール送信手段を備えたことを特徴とする請求項３または４に記載の電子メール通信システム。
【発明の詳細な説明】
【０００１】
【発明の属する技術分野】
本発明は、サーバと電子メール通信端末との間で電子メールを通信する電子メール通信システムに関する。
【０００２】
【発明が解決しようとする課題】
近年、インターネットの普及などに伴って、電子メールの通信サービスが広く普及しており、携帯電話機などの移動可能な端末においても、電子メールの通信を行うことが可能になっている。ところで、従来のものは、携帯電話機などの端末に電子メールアドレスが固定的に付与されているという事情から、ユーザは、基本的には、自己の端末の電子メールアドレスを認識している端末からのみ電子メールを受信することが可能であり、また、電子メールアドレスを認識している端末にのみ電子メールを送信することが可能である。
【０００３】
しかしながら、このことは、換言すれば、ユーザは、電子メールアドレスを認識していない端末からは電子メールを受信することが不可能であり、また、電子メールアドレスを認識していない端末には電子メールを送信することが不可能であるということであり、そのため、不特定多数の人から電子メールを受信したり、電子メールを不特定多数の人に送信したいという要望があっても、それに応じることができない。
【０００４】
本発明は、上記した事情に鑑みてなされたものであり、その第１の目的は、不特定多数の人から電子メールを受信することができ、また、第２の目的は、電子メールを不特定多数の人に送信することができ、それによって、興趣の向上を図ることができる電子メール通信システムを提供することにある。
【０００５】
【課題を解決するための手段】
請求項１記載の電子メール通信システムによれば、サーバにおいて、位置認識手段は、電子メール通信端末の地図上の位置を認識し、電子メール配信手段は、位置認識手段が認識した電子メール通信端末の位置に対応する位置対応の電子メールアドレスを電子メール通信端末の電子メールアドレスとして認識し、位置対応の電子メールアドレスを送信先アドレスとする電子メールの着信があると、該当する電子メールを電子メール通信端末に配信し、電子メールアドレス変換手段は、電子メール通信端末から受信した電子メールの送信先アドレスを位置対応の電子メールアドレスに変換するように構成した。
【０００６】
したがって、不特定多数の人が位置対応の電子メールアドレスを送信先アドレスとして電子メールを送信すると、不特定多数の人から送信された電子メールが電子メール通信端末に配信されることになるので、これによって、電子メール通信端末を使用するユーザは、不特定多数の人から電子メールを受信することができ、不特定多数の人から例えばタウン情報、グルメ情報或いは友人募集の情報などを得ることができ、興趣の向上を図ることができる。また、電子メール通信端末から送信された電子メールが不特定多数の人に配信されることにもなるので、これによって、電子メール通信端末を使用するユーザは、不特定多数の人から電子メールを受信するのみでなく、電子メールを不特定多数の人に送信することをもでき、例えばタウン情報、グルメ情報或いは友人募集の情報などを不特定多数の人に知らせることができ、興趣の向上をさらに図ることができる。
【０００７】
請求項２記載の電子メール通信システムによれば、サーバにおいて、電子メールアドレス通知手段は、位置対応の電子メールアドレスを電子メール通信端末に通知するように構成した。したがって、位置対応の電子メールアドレスが電子メール通信端末に通知されることによって、電子メール通信端末が位置対応の電子メールアドレスを認識し、電子メール通信端末が位置対応の電子メールアドレスを送信先アドレスとして電子メールを送信することが可能となり、電子メール通信端末が位置対応の電子メールアドレスを送信先アドレスとして電子メールを送信すると、上記した請求項１に記載したものと同様にして、電子メール通信端末から送信された電子メールが不特定多数の人に配信されることになるので、これによって、電子メール通信端末を使用するユーザは、電子メールを不特定多数の人に送信することをもでき、例えばタウン情報、グルメ情報或いは友人募集の情報などを不特定多数の人に知らせることができ、興趣の向上をさらに図ることができる。
【０００８】
請求項３記載の電子メール通信システムによれば、電子メール通信端末において、位置入力手段は、地図上の位置を入力し、電子メールアドレス通知手段は、位置入力手段が入力した位置に対応する位置対応の電子メールアドレスをサーバに通知し、そして、サーバにおいて、電子メール配信手段は、電子メール通信端末から位置対応の電子メールアドレスが通知されると、通知された位置対応の電子メールアドレスを電子メール通信端末の電子メールアドレスとして認識し、位置対応の電子メールアドレスを送信先アドレスとする電子メールの着信があると、該当する電子メールを電子メール通信端末に配信するように構成した。したがって、上記した請求項１に記載したものと同様にして、不特定多数の人が位置対応の電子メールアドレスを送信先アドレスとして電子メールを送信すると、不特定多数の人から送信された電子メールが電子メール通信端末に配信されることになるので、これによって、電子メール通信端末を使用するユーザは、不特定多数の人から電子メールを受信することができ、興趣の向上を図ることができる。
【０００９】
請求項４記載の電子メール通信システムによれば、サーバにおいて、電子メールアドレス変換手段は、電子メール通信端末から受信した電子メールの送信先アドレスを位置対応の電子メールアドレスに変換するように構成した。したがって、上記した請求項１に記載したものと同様にして、不特定多数の人から送信された電子メールが電子メール通信端末に配信されるのみでなく、電子メール通信端末から送信された電子メールが不特定多数の人に配信されることにもなるので、これによって、電子メール通信端末を使用するユーザは、不特定多数の人から電子メールを受信するのみでなく、電子メールを不特定多数の人に送信することをもでき、興趣の向上をさらに図ることができる。
【００１０】
請求項５記載の電子メール通信システムによれば、電子メール通信端末において、電子メール送信手段は、位置対応の電子メールアドレスを送信先アドレスとして電子メールをサーバに送信するように構成した。したがって、上記した請求項２に記載したものと同様にして、電子メール通信端末が位置対応の電子メールアドレスを送信先アドレスとして電子メールを送信すると、電子メール通信端末から送信された電子メールが不特定多数の人に配信されることになるので、これによって、電子メール通信端末を使用するユーザは、電子メールを不特定多数の人に送信することをもでき、興趣の向上をさらに図ることができる。
【００１９】
【発明の実施の形態】
（第１の実施の形態）
以下、本発明の電子メール通信端末を電子メール通信機能およびＧＰＳ（Global Positioning System ）測位機能を有する携帯電話機に適用し、当該携帯電話機を用いた電子メール通信システムに適用した第１実施例について、図１ないし図３を参照して説明する。尚、この第１実施例は、本発明でいう請求項１に記載した発明に対応する。
【００２０】
まず、図２は、携帯電話機の電気的な構成を機能ブロックとして示している。携帯電話機１において、ＣＰＵ２（本発明でいう制御手段）は、マイクロコンピュータを主体として構成されており、電話網３との間で電話通信に係る処理を行う電話通信部４、マイクロホン５が入力した送話音声およびレシーバ６が出力する受話音声を音声処理する音声処理部７、通話を開始するための「通話開始」キー、通話を終了するための「通話終了」キー、数字「０」〜「９」を入力するための「数字」キー、各種の機能を設定・解除するための「機能（ファンクション）」キーなどの多数のキーを配設してなるキー操作部８、ＬＣＤ（Ｌｉｑｕｉｄ  Ｃｒｙｓｔａｌ  Ｄｉｓｐｌａｙ）９、メモリダイヤル情報などの各種の情報と共にプログラムを記憶するメモリ１０を接続している。また、ＣＰＵ２は、ＧＰＳ測位部１１をも接続している。
【００２１】
ＧＰＳ測位部１１は、ＧＰＳ衛星１２が放射したＧＰＳ電波を捕捉すると、捕捉したＧＰＳ電波を無線処理（復調処理など）してＧＰＳデータを取得し、取得したＧＰＳデータを演算する。この場合、ＧＰＳ測位部１１がネットワークアシスト型に対応するものでなく、つまり、ＧＰＳデータの演算を自己のみで行うものであれば、携帯電話機１の地図上の位置を示す緯度および経度を算出することになり、一方、ＧＰＳ測位部１１がネットワークアシスト型に対応するものであり、つまり、ＧＰＳデータの演算を自己と後述する測位サーバとの間で共同して行うものであれば、測位サーバとの間の共同によって携帯電話機１の地図上の位置を示す緯度および経度を算出することになる。そして、この場合、携帯電話機１には、携帯電話通信サービスを提供する通信事業者との契約によって例えば  「ａａａａａ＠ｘｘｘ．ｘｘ．ｘｘ．ｘｘ（ｘは使用が許可されている英字や数字など）」という電子メールアドレスが付与されている。
【００２２】
次に、図３は、上記した携帯電話機１を含む電子メール通信システムの構成を概略的に示している。無線基地局１３は、携帯電話機１の位置登録や呼制御の管理などを行う。パケット交換網１４は、パケット形式のデータの処理を行い、一方、回線交換網１５は、音声形式のデータの処理を行う。サーバ１６は、電子メールの管理を行う電子メールサーバ１７（本発明でいう電子メール配信手段、電子メールアドレス変換手段）と、測位を行う測位サーバ１８（本発明でいう位置認識手段）とを備えて構成されている。
【００２３】
さて、ここで、電子メールの着信の処理を簡単に説明すると、電子メールサーバ１７は、インターネット１９からの電子メールの着信を監視しており、この場合、携帯電話機１の電子メールアドレスである「ａａａａａ＠ｘｘｘ．ｘｘ．ｘｘ．ｘｘ」を送信先アドレスとする電子メールの着信を検出すると、電子メールの着信をゲートウェイ２０に通知する。ゲートウェイ２０は、電子メールの着信が通知されると、電子メールの送信先である携帯電話機１を制御チャネルによって呼出し、携帯電話機１は、ゲートウェイ２０から呼出されると、電子メールの配信を電子メールサーバ１７に要求する。そして、電子メールサーバ１７は、該当する電子メールを携帯電話機１に配信する。このようにして、携帯電話機１は、自己に付与されている電子メールアドレスである「ａａａａａ＠ｘｘｘ．ｘｘ．ｘｘ．ｘｘ」を送信先アドレスとする電子メールをインターネット１９から受信することが可能となる。
【００２４】
次に、上記した構成の作用について、図１も参照して説明する。尚、ここでは、携帯電話機１のＧＰＳ測位部１１がネットワークアシスト型に対応するものであることを前提とする。
【００２５】
携帯電話機１において、ＣＰＵ２は、メモリ１０に記憶されているプログラムを実行することによって、以下の処理を行う。すなわち、ＣＰＵ２は、ユーザのキーの操作に応じて電子メールを作成し（ステップＳ１）、電子メールを送信するためのキーが操作されたことを検出すると（ステップＳ２）、ＧＰＳ測位部１１が取得したＧＰＳデータを電話通信部４からサーバ１６の測位サーバ１８に送信させ（ステップＳ３）、先に作成した電子メールを電話通信部４からサーバ１６の電子メールサーバ１７に送信させる（ステップＳ４）。
【００２６】
サーバ１６において、測位サーバ１８は、携帯電話機１からＧＰＳデータを受信したことを検出すると（ステップＴ１）、受信したＧＰＳデータに基づいて測位を行い（ステップＴ２）、携帯電話機１の地図上の位置、ここでは、緯度および経度を算出し、算出した緯度および経度を示す位置情報を電子メールサーバ１７に出力する。具体的に説明すると、測位サーバ１８は、携帯電話機１が例えば「北緯３４度５９分０６秒、東経１３７度００分２０秒」の位置に存在していると、受信したＧＰＳデータに基づいて携帯電話機１の位置として「北緯３４度５９分０６秒、東経１３７度００分２０秒」を算出し、算出した位置情報を電子メールサーバ１７に出力する。
【００２７】
そして、電子メールサーバ１７は、測位サーバ１８から位置情報を入力すると、入力した位置情報に対応する位置対応の電子メールアドレスを決定する（ステップＴ３）。具体的に説明すると、電子メールサーバ１７は、測位サーバ１８から「北緯３４度５９分０６秒、東経１３７度００分２０秒」の位置情報を入力すると、入力した位置情報に対応する例えば「Ｎ３４．５９．０６−Ｅ１３７．００．２０＠ｘｘｘ．ｘｘ．ｘｘ．ｘｘ  」という位置対応の電子メールアドレスを決定する。
【００２８】
次いで、電子メールサーバ１７は、携帯電話機１から電子メールを受信したことを検出すると（ステップＴ４）、受信した電子メールの送信先アドレスを先に決定した位置対応の電子メールアドレスに変換する（ステップＴ５）。具体的に説明すると、電子メールサーバ１７は、受信した電子メールの送信先アドレスが例えば「ｂｂｂｂｂ＠ｘｘｘ．ｘｘ．ｘｘ．ｘｘ」であると、受信した電子メールの送信先アドレスである「ｂｂｂｂｂ＠ｘｘｘ．ｘｘ．ｘｘ．ｘｘ」を先に決定した位置対応の電子メールアドレスである「Ｎ３４．５９．０６−Ｅ１３７．００．２０＠ｘｘｘ．ｘｘ．ｘｘ．ｘｘ  」に変換する。
【００２９】
次いで、電子メールサーバ１７は、先に決定した位置対応の電子メールアドレスである「Ｎ３４．５９．０６−Ｅ１３７．００．２０＠ｘｘｘ．ｘｘ．ｘｘ．ｘｘ  」を送信先アドレスとする電子メールの着信を監視し（ステップＴ６）、該当する電子メールの着信を検出すると（ステップＴ７で「ＹＥＳ」）、電子メールの着信をゲートウェイ２０に通知し、これ以降、該当する電子メールを携帯電話機１に配信する（ステップＴ８）。そして、これに伴って、携帯電話機１は、先に決定した位置対応の電子メールアドレスである「Ｎ３４．５９．０６−Ｅ１３７．００．２０＠ｘｘｘ．ｘｘ．ｘｘ．ｘｘ  」を送信先アドレスとする電子メールをインターネット１９から受信する（ステップＳ５）。
【００３０】
ところで、この場合、携帯電話機１において、キーワード（例えば「タウン情報」、「グルメ情報」および「友人募集の情報」など）を入力することによって、「Ｎ３４．５９．０６−Ｅ１３７．００．２０＠ｘｘｘ．ｘｘ．ｘｘ．ｘｘ  」を送信先アドレスとする全ての電子メールを受信するのではなく、「Ｎ３４．５９．０６−Ｅ１３７．００．２０＠ｘｘｘ．ｘｘ．ｘｘ．ｘｘ  」を送信先アドレスとする全ての電子メールのうちから、キーワードに対応する内容が記述された電子メールを選択し、キーワードに対応する内容が記述された電子メールのみを受信するように構成することも可能である。
【００３１】
また、この場合、携帯電話機１において、エリアを指定することによって、複数の位置対応の電子メールアドレスのうちのいずれかを送信先アドレスとする電子メールを受信するように構成することも可能である。具体的に説明すると、例えば「緯度方向に＋１０秒」を指定することによって、「北緯３４度５９分０６秒、東経１３７度００分２０秒」に対応する「Ｎ３４．５９．０６−Ｅ１３７．００．２０＠ｘｘｘ．ｘｘ．ｘｘ．ｘｘ  」という位置対応の電子メールアドレスの他に、「北緯３４度５９分０７秒、東経１３７度００分２０秒」に対応する「Ｎ３４．５９．０７−Ｅ１３７．００．２０＠ｘｘｘ．ｘｘ．ｘｘ．ｘｘ  」という位置対応の電子メールアドレス、「北緯３４度５９分０８秒、東経１３７度００分２０秒」に対応する「Ｎ３４．５９．０８−Ｅ１３７．００．２０＠ｘｘｘ．ｘｘ．ｘｘ．ｘｘ  」という位置対応の電子メールアドレスおよび「北緯３４度５９分０９秒、東経１３７度００分２０秒」に対応する「Ｎ３４．５９．０９−Ｅ１３７．００．２０＠ｘｘｘ．ｘｘ．ｘｘ．ｘｘ  」という位置対応の電子メールアドレスなどのうちのいずれかを送信先アドレスとする電子メールを受信するように構成することも可能である。
【００３２】
以上に説明したように第１実施例によれば、測位サーバ１８において、携帯電話機１の地図上の位置を認識し、電子メールサーバ１７において、測位サーバ１８が認識した携帯電話機１の位置に対応する位置対応の電子メールアドレスである例えば「Ｎ３４．５９．０６−Ｅ１３７．００．２０＠ｘｘｘ．ｘｘ．ｘｘ．ｘｘ  」を携帯電話機１の電子メールアドレスとして認識し、位置対応の電子メールアドレスを送信先アドレスとする電子メールの着信があると、該当する電子メールを携帯電話機１に配信するように構成した。
【００３３】
したがって、不特定多数の人が位置対応の電子メールアドレスを送信先アドレスとして電子メールを送信すると、不特定多数の人から送信された電子メールが携帯電話機１に配信されることになるので、これによって、携帯電話機１を使用するユーザは、不特定多数の人から電子メールを受信することができ、不特定多数の人から例えばタウン情報、グルメ情報或いは友人募集の情報などを得ることができ、興趣の向上を図ることができる。
【００３４】
また、電子メールサーバ１７において、携帯電話機１から受信した電子メールの送信先アドレスである例えば「ｂｂｂｂｂ＠ｘｘｘ．ｘｘ．ｘｘ．ｘｘ」を携帯電話機１の位置に対応する位置対応の電子メールアドレスである「Ｎ３４．５９．０６−Ｅ１３７．００．２０＠ｘｘｘ．ｘｘ．ｘｘ．ｘｘ  」に変換するように構成した。したがって、不特定多数の人から送信された電子メールが携帯電話機１に配信されるのみでなく、携帯電話機１から送信された電子メールが不特定多数の人に配信されることにもなるので、これによって、携帯電話機１を使用するユーザは、不特定多数の人から電子メールを受信するのみでなく、電子メールを不特定多数の人に送信することをもでき、例えばタウン情報、グルメ情報或いは友人募集の情報などを不特定多数の人に知らせることができ、興趣の向上をさらに図ることができる。
【００３５】
（第２の実施の形態）
次に、本発明の第２実施例について、図４を参照して説明する。尚、上記した第１実施例と同一部分については説明を省略し、以下、異なる部分について説明する。尚、この第２実施例は、本発明でいう請求項２に記載した発明に対応する。そして、この第２実施例では、電子メールサーバ１７が本発明でいうサーバの電子メールアドレス通知手段に相当する。
【００３６】
ここでは、電子メールサーバ１７は、携帯電話機１から電子メールを受信したことを検出すると（ステップＴ４）、上記した第１実施例に記載したものとは異なって、受信した電子メールの送信先アドレスを先に決定した位置対応の電子メールアドレスに変換するのではなく、先に決定した位置対応の電子メールアドレスを携帯電話機１に送信する（ステップＴ１１）。これによって、携帯電話機１は、電子メールサーバ１７から位置対応の電子メールアドレスを受信すると（ステップＳ１１）、これ以降、受信した位置対応の電子メールアドレスを送信先アドレスとして電子メールを送信することが可能となる。
【００３７】
以上に説明したように第２実施例によれば、電子メールサーバ１７において、携帯電話機１の位置に対応する位置対応の電子メールアドレスである例えば「Ｎ３４．５９．０６−Ｅ１３７．００．２０＠ｘｘｘ．ｘｘ．ｘｘ．ｘｘ  」を携帯電話機１に通知するように構成した。したがって、位置対応の電子メールアドレスが携帯電話機１に通知されることによって、携帯電話機１が位置対応の電子メールアドレスを認識し、携帯電話機１が位置対応の電子メールアドレスを送信先アドレスとして電子メールを送信することが可能となり、携帯電話機１が位置対応の電子メールアドレスを送信先アドレスとして電子メールを送信すると、この場合においても、携帯電話機１から送信された電子メールが不特定多数の人に配信されることになるので、これによって、携帯電話機１を使用するユーザは、不特定多数の人から電子メールを受信するのみでなく、電子メールを不特定多数の人に送信することをもでき、興趣の向上をさらに図ることができる。
【００３８】
（第３の実施の形態）
次に、本発明の第３実施例について、図５ないし図７を参照して説明する。尚、上記した第１実施例と同一部分については説明を省略し、以下、異なる部分について説明する。尚、この第３実施例は、本発明でいう請求項３に記載した発明に対応する。そして、この第３実施例では、携帯電話機１のキー操作部８が位置入力手段に相当し、また、電話通信部４が本発明でいう電子メール通信端末の電子メールアドレス通知手段に相当する。
【００３９】
ここでは、携帯電話機１において、ＣＰＵ２は、ユーザのキーの操作に応じて地図上の位置を入力し（ステップＳ２１）、位置を通知するためのキーが操作されたことを検出すると（ステップＳ２２）、入力した位置に対応する位置対応の電子メールアドレスを電話通信部４からサーバ１６の電子メールサーバ１７に送信させる（ステップＳ２３）。具体的に説明すると、ユーザが、例えば図６に示すように、地図上の位置を入力するための表示画面を呼出し、地図上の位置として例えば「北緯３４度５９分０６秒、東経１３７度００分２０秒」を入力すると、ＣＰＵ２は、入力した「北緯３４度５９分０６秒、東経１３７度００分２０秒」に対応する「Ｎ３４．５９．０６−Ｅ１３７．００．２０＠ｘｘｘ．ｘｘ．ｘｘ．ｘｘ  」という位置対応の電子メールアドレスを電話通信部４からサーバ１６の電子メールサーバ１７に送信させる。
【００４０】
そして、電子メールサーバ１７は、携帯電話機１から位置対応の電子メールアドレスを受信したことを検出すると（ステップＴ２１）、受信した位置対応の電子メールアドレスである「Ｎ３４．５９．０６−Ｅ１３７．００．２０＠ｘｘｘ．ｘｘ．ｘｘ．ｘｘ  」を携帯電話機１の電子メールアドレスとして認識し、これ以降、位置対応の電子メールアドレスである「Ｎ３４．５９．０６−Ｅ１３７．００．２０＠ｘｘｘ．ｘｘ．ｘｘ．ｘｘ  」を送信先アドレスとする電子メールの着信を監視し（ステップＴ６）、該当する電子メールの着信を検出すると（ステップＴ７で「ＹＥＳ」）、電子メールの着信をゲートウェイ２０に通知し、これ以降、該当する電子メールを携帯電話機１に配信する（ステップＴ８）。
【００４１】
ところで、この場合、緯度および経度を入力することに限らず、例えば図７に示すように、携帯電話機１のＬＣＤ９に地図を表示し、表示された地図上において地域を指定し、指定された地域を緯度および経度に換算するように構成することも可能である。尚、図７では、破線にて囲まれた部分が指定された地域である。
【００４２】
以上に説明したように第３実施例によれば、携帯電話機１において、地図上の位置である例えば「北緯３４度５９分０６秒、東経１３７度００分２０秒」を入力し、入力した位置に対応する位置対応の電子メールアドレスである「Ｎ３４．５９．０６−Ｅ１３７．００．２０＠ｘｘｘ．ｘｘ．ｘｘ．ｘｘ  」を電子メールサーバ１７に通知し、そして、電子メールサーバ１７において、携帯電話機１から位置対応の電子メールアドレスが通知されると、通知された位置対応の電子メールアドレスを携帯電話機１の電子メールアドレスとして認識し、位置対応の電子メールアドレスを送信先アドレスとする電子メールの着信があると、該当する電子メールを携帯電話機１に配信するように構成した。
【００４３】
したがって、この場合においても、不特定多数の人が位置対応の電子メールアドレスを送信先アドレスとして電子メールを送信すると、不特定多数の人から送信された電子メールが携帯電話機１に配信されることになるので、これによって、携帯電話機１を使用するユーザは、不特定多数の人から電子メールを受信することができ、興趣の向上を図ることができる。
【００４４】
（第４の実施の形態）
次に、本発明の第４実施例について、図８を参照して説明する。尚、上記した第３実施例と同一部分については説明を省略し、以下、異なる部分について説明する。尚、この第４実施例は、本発明でいう請求項４に記載した発明に対応する。
【００４５】
ここでは、上記した第３実施例で説明した処理の後において、携帯電話機１において、ＣＰＵ２は、ユーザのキーの操作に応じて電子メールを作成し（ステップＳ１）、電子メールを送信するためのキーが操作されたことを検出すると（ステップＳ２）、先に作成した電子メールを電話通信部４からサーバ１６の電子メールサーバ１７に送信させる（ステップＳ４）。
【００４６】
そして、電子メールサーバ１７は、携帯電話機１から電子メールを受信したことを検出すると（ステップＴ４）、受信した電子メールの送信先アドレスを先に携帯電話機１から受信した位置対応の電子メールアドレスに変換する（ステップＴ５）。
【００４７】
以上に説明したように第４実施例によれば、電子メールサーバ１７において、携帯電話機１から受信した電子メールの送信先アドレスを先に携帯電話機１から受信した携帯電話機１の位置に対応する位置対応の電子メールアドレスである例えば「Ｎ３４．５９．０６−Ｅ１３７．００．２０＠ｘｘｘ．ｘｘ．ｘｘ．ｘｘ  」に変換するように構成した。したがって、この場合においても、不特定多数の人から送信された電子メールが携帯電話機１に配信されるのみでなく、携帯電話機１から送信された電子メールが不特定多数の人に配信されることにもなるので、これによって、携帯電話機１を使用するユーザは、不特定多数の人から電子メールを受信するのみでなく、電子メールを不特定多数の人に送信することをもでき、興趣の向上をさらに図ることができる。
【００４８】
（第５の実施の形態）
次に、本発明の第５実施例について、図９を参照して説明する。尚、上記した第４実施例と同一部分については説明を省略し、以下、異なる部分について説明する。尚、この第５実施例は、本発明でいう請求項５に記載した発明に対応する。そして、この第５実施例では、携帯電話機１の電話通信部４が本発明でいう電子メール送信手段に相当する。
【００４９】
ここでは、上記した第３実施例で説明した処理の後において（ステップＳ２１が本発明でいう第１の手順）、携帯電話機１において、ＣＰＵ２は、ユーザのキーの操作に応じて電子メールを作成し（ステップＳ１）、電子メールを送信するためのキーが操作されたことを検出すると（ステップＳ２）、先に入力した携帯電話機１の位置に対応する位置対応の電子メールアドレスである「Ｎ３４．５９．０６−Ｅ１３７．００．２０＠ｘｘｘ．ｘｘ．ｘｘ．ｘｘ  」を先に作成した電子メールの送信アドレスとして電子メールを送信させる（ステップＳ３１、本発明でいう第２の手順）。
【００５０】
以上に説明したように第５実施例によれば、携帯電話機１において、先に入力した携帯電話機１の位置に対応する位置対応の電子メールアドレスである例えば「Ｎ３４．５９．０６−Ｅ１３７．００．２０＠ｘｘｘ．ｘｘ．ｘｘ．ｘｘ  」を送信先アドレスとして電子メールを電子メールサーバ１７に送信するように構成した。したがって、この場合においても、携帯電話機１が位置対応の電子メールアドレスを送信先アドレスとして電子メールを送信すると、携帯電話機１から送信された電子メールが不特定多数の人に配信されることになるので、これによって、携帯電話機１を使用するユーザは、不特定多数の人から電子メールを受信するのみでなく、電子メールを不特定多数の人に送信することをもでき、興趣の向上をさらに図ることができる。
【００５１】
（その他の実施の形態）
本発明は、上記した実施例にのみ限定されるものでなく、次のように変形または拡張することができる。
携帯電話機の位置を認識する方法としては、ＧＰＳ測位機能を利用する方法に限らず、携帯電話機が位置登録している基地局の位置に基づいて携帯電話機の位置を認識する方法であっても良く、この場合には、携帯電話機にＧＰＳ測位機能を搭載する必要がなく、その分、システムを簡素化できる利点がある。
【００５２】
地図上の位置を示す基準としては、緯度および経度を用いることに限らず、都道府県市区町村などの行政区域と緯度および経度とを関連付けることによって、それら行政区域の名称を用いても良く、また、マップコード（株式会社デンソーの登録商標）を用いても良い。
【００５３】
測位を行うタイミング、電子メールアドレスを通知するタイミング、電子メールの着信を監視するタイミングなどは、キーの操作や時間をトリガとする構成であっても良く、また、システムの利用形態やトラヒック量などに応じて自在に決定する構成であっても良い。
【００５４】
各実施例において、上記した処理を行うプログラムは、最初（例えば製品化の段階）からメモリに記憶されているものに限らず、例えば特定のサーバからネットワークを通じて携帯電話機にダウンロードされたり或いはカードなどの記憶媒体から携帯電話機に転送され、インストールされるものであっても良い。
【図面の簡単な説明】
【図１】本発明の第１実施例の処理の内容を示すフローチャート
【図２】携帯電話機の機能ブロック図
【図３】電子メール通信システムの構成を概略的に示す図
【図４】本発明の第２実施例の処理の内容を示すフローチャート
【図５】本発明の第３実施例の処理の内容を示すフローチャート
【図６】ＬＣＤの表示例を示す図
【図７】図６相当図
【図８】本発明の第４実施例の処理の内容を示すフローチャート
【図９】本発明の第５実施例の処理の内容を示すフローチャート
【符号の説明】
図面中、１は携帯電話機（電子メール通信端末）、２はＣＰＵ（制御手段）、４は電話通信部（電子メール通信端末の電子メールアドレス通知手段、電子メール送信手段）、８はキー操作部（位置入力手段）、１６はサーバ、１７は電子メールサーバ（電子メール配信手段、電子メールアドレス変換手段、サーバの電子メールアドレス通知手段）、１８は測位サーバ（位置認識手段）である。
【図１】
0003613189.tif 000002
【図２】
0003613189.tif 000003
【図３】
0003613189.tif 000004
【図４】
0003613189.tif 000005
【図５】
0003613189.tif 000006
【図６】
0003613189.tif 000007
【図７】
0003613189.tif 000008
【図８】
0003613189.tif 000009
【図９】
0003613189.tif 000010